(57)【特許請求の範囲】
【請求項１】
筐体と、
前記筐体に設けられ外気と冷媒とを熱交換する室外熱交換器と、
前記筐体に設けられる室外ファンと、
前記室外ファンの外周を囲い前記室外ファンによる空気の吹出し口を形成するベルマウスと、
前記ベルマウスの側方と前記筐体の内側との間の空間に設けられた電装品と、
入口と出口とが前記筐体の外部に開口して設けられ前記電装品又は当該電装品に接触した部材を通過する空気が流通する流路とを備え、
前記出口は、前記ベルマウスと隣接して当該ベルマウスが空気を吹き出す方向と同方向側に向いて配置されていることを特徴とする空気調和機用室外機。
【請求項２】
前記電装品として、第１基板と第２基板との２枚の基板を備えていて、
前記第１基板と前記第２基板は、双方とも前記ベルマウスと前記筐体との間の領域に設けられていることを特徴とする請求項１に記載の空気調和機用室外機。
【請求項３】
前記室外ファンは上吹き出しであり、
前記筐体は上面視で長方形状であり、その長方形状の長手方向に並んで２台の前記室外ファンが収納配置されていて、
前記各室外ファンの回転軸の位置は、何れも前記長方形状の中央部よりも両端部に近い位置に配置されていることを特徴とする請求項１又は請求項２の何れかの一項に記載の空気調和機用室外機。
【請求項４】
前記電装品に接触した部材としてヒートシンクを備え、
前記ヒートシンクは、前記流路の前記出口の近傍に配置されていることを特徴とする請求項１乃至請求項３の何れかの一項に記載の空気調和機用室外機。
【請求項５】
前記電装品に接触した部材としてヒートシンクを備え、
前記ヒートシンクは、前記流路の前記入口の近傍に配置されていることを特徴とする請求項１乃至請求項３の何れかの一項に記載の空気調和機用室外機。
【請求項６】
前記電装品は、前記流路に配置されていることを特徴とする請求項１乃至請求項３の何れかの一項に記載の空気調和機用室外機。
【請求項７】
請求項１乃至請求項６の何れかの一項に記載の空気調和機用室外機と、
前記冷媒を圧縮する圧縮機と、
前記冷媒を減圧する膨張弁と、
前記冷媒と室内空気との熱交換を行う室内熱交換器と、
前記室内空気を前記室内熱交換器に送風する室内ファンとを備えていることを特徴とする空気調和機。
【発明の詳細な説明】
【技術分野】
【０００１】
本発明は、空気調和機用室外機及び空気調和機に関する。
【背景技術】
【０００２】
本技術分野の背景技術として、特開平２０１３−７９８０７号公報（特許文献１）がある。この公報には、「室外機本体と、室外機本体に収容された熱交換器と、室外機本体の上部に設けられ、室外機本体の側面から吸い込んだ空気を上方へ吹き出す送風ファンと、送風ファンの外周を囲い、空気の吹き出し口を形成する通風部材と、室外機本体に収容され、熱交換器における一の側端部と他の側端部との間の開口部に配置された電装品ユニットとを備え、電装品ユニットが、通風部材の下端を上下方向に跨いで設けられており、通風部材の下端よりも上側において、電装品ユニットが通風部材の水平方向外側に配置されている。」と記載されている（要約参照）。【０００３】
また、本技術分野の別の背景技術として、特開平２０１３−２９２２２号公報（特許文献２）がある。この公報には、「電装箱、それを支持するフレームおよび電装箱の外面を覆う正面パネルによって閉じた空間を形成し、この閉じた空間の吸込み口の下流に、外気を電装箱に導く風路を備えた通風ガイドを設置する。この通風ガイドは、風路の途中に複数の穴が形成された壁が設けられ、上方および下方に少なくとも１回折れ曲がった迷走風路が形成され、かつ電装箱導入口における外気の噴出し方向が吸込み口における外気の吸込み方向に対し略９０度曲がっている。」と記載されている（要約参照）。
【先行技術文献】
【特許文献】
【０００４】
【特許文献１】特開２０１３−７９８０７号公報
【特許文献２】特開２０１３−２９２２２号公報
【発明の概要】
【発明が解決しようとする課題】
【０００５】
前記特許文献１，２には、空気調和機の室外機において、電装品ユニットや電装箱を送風によって冷却する技術が記載されている。しかし、特許文献１，２の技術は、電装品ユニットや電装箱を冷却する空気を直接室外ファンの駆動によって送風している。そのため、室外ファンは室外熱交換器に通風する外気のみならず、電装品ユニットや電装箱を冷却する空気も送風しなければならない。そのため、電装品ユニットや電装箱を冷却する空気を直接送風することが室外ファンの負荷の増大につながるという不具合がある。【０００６】
そこで、本発明は、室外ファンの負荷の増大を抑制することができる空気調和機用室外機及び空気調和機を提供することを課題とする。
【課題を解決するための手段】
【０００７】
上記課題を解決するため、本発明は、筐体と、前記筐体に設けられ外気と冷媒とを熱交換する室外熱交換器と、前記筐体に設けられる室外ファンと、前記室外ファンの外周を囲い前記室外ファンによる空気の吹出し口を形成するベルマウスと、前記ベルマウスの側方と前記筐体の内側との間の空間に設けられた電装品と、入口と出口とが前記筐体の外部に開口して設けられ前記電装品又は当該電装品に接触した部材を通過する空気が流通する流路とを備え、前記出口は、前記ベルマウスと隣接して当該ベルマウスが空気を吹き出す方向と同方向側に向いて配置されていることを特徴とする。
【発明の効果】
【０００８】
本発明によれば、室外ファンの負荷の増大を抑制することができる空気調和機用室外機及び空気調和機を提供することができる。
上記した以外の課題、構成及び効果は、以下の実施形態の説明により明らかにされる。
【図面の簡単な説明】
【０００９】
【図１】本発明の実施例１に係る空気調和機の全体構成を示す系統図である。
【図２】本発明の実施例１に係る室外機の縦断面図である。
【図３】図２のＡ−Ａ断面図である。
【図４】本発明の実施例２に係る室外機の上部の縦断面図である。
【図５】本発明の実施例３に係る室外機の上部の縦断面図である。
【図６】本発明の実施例４に係る室外機の上部の縦断面図である。
【図７】本発明の実施例５に係る室外機の上面図である。
【発明を実施するための形態】
【００１０】
以下、本発明の実施例について図面を用いて説明する。
まず、本実施例の課題について説明する。前記の特許文献１の技術では、上吹出し型の室外機において、特許文献１の図１２に示すように、室外機本体の筐体とベルマウスとの間の空間から、室外機本体の筐体の下方にかけて電装品箱が設けられている。そして、送風ファンを駆動させると、送風ファンが発生させた上吹出しの風は、電装品箱の周囲も通過してベルマウスから排出され、この風によって電装品箱は冷却される。
【００１１】
特許文献１の技術では、熱交換器を介さずに直接外部から取り入れた空気も電装品箱の冷却に一部用いてはいるが、熱交換器を通過した熱交換後の空気も電装品箱の冷却に用いられている。このような熱交換後の空気は空気調和機が冷房運転中の場合は温度が高いため、電装品箱を十分に冷却することができない。また、電装品箱が送風ファンの上流側にも配置されているため、室外機本体の筐体内を流通する空気の圧力損失となり、また、騒音の増大にもつながる。そして、電装品箱を冷却した空気は送風ファンによって直接外部に排出されるので、送風ファンの負荷の増大となる。また、送風ファンから上方に吹き出される気流に対して、Ｃ部から第１取入口に取り入れられる気流は逆向きになる。このため、Ｃ部の矢印で示される空気の流れは弱められてしまう。
【００１２】
一方、同じく上吹出し型の室外機である特許文献２の技術では、熱交換器を介さない外気だけで電装箱を冷却するので、比較的低温の外気で電装箱を十分に冷却することができる。また、電装箱は室外ファンの上流側（熱交換器の下流側）に存在するわけではないため、当該上流側の空気の圧力損失になることもなく、騒音が増大することもない。
しかし、特許文献２の技術でも、特許文献２の図１に示すように、電装箱を冷却後の空気は室外ファンの駆動によって直接ベルマウス外に排出される。そのため、本技術でも、室外ファンの負荷は増大する。
【００１３】
このように、特許文献１，２の技術は、いずれも電装品箱、電装箱を冷却する空気の流れはファンが直接作り出しているので、当該ファンの負荷の増大についながるという不具合がある。
以下では、かかる不具合を解消した本発明の実施例について説明する。
【実施例１】
【００１４】
図１は、本実施例１に係る空気調和機１００の全体構成を示す系統図である。空気調和機１００は、圧縮機１３１、四方弁１３２、室内熱交換器１０１、膨張弁１０３、室外熱交換器１２等で構成され、各部材は配管１２１で接続されている。室内熱交換器１０１及び室内ファン１０２は室内機１０８に設けられている。圧縮機１３１、四方弁１３２、膨張弁１０３、室外熱交換器１２、室外ファン１３は本発明の実施例の空気調和機用室外機である室外機１に設けられている。なお、膨張弁１０３は、室内機１０８に設けてもよいし、室内機１０８及び室外機１の両方に設けてもよい。【００１５】
圧縮機１３１は、圧縮機モータの駆動によって、低温低圧のガス冷媒を圧縮し、高温高圧のガス冷媒として吐出する装置である。
四方弁１３２は、空気調和機１００の運転モードに応じて、冷媒の流路を切り替える弁である。
膨張弁１０３は、「凝縮器」（空調運転の種類に応じて室外熱交換器１２及び室内熱交換器１０１のうちの一方）で凝縮した冷媒を減圧する弁である。なお、膨張弁１０３において減圧された冷媒は、「蒸発器」（空調運転の種類に応じて室外熱交換器１２及び室内熱交換器１０１のうちの他方）に導かれる。【００１６】
室内熱交換器１０１は、その室外熱交換器１２を通流する冷媒と、室内ファン１０２から送り込まれる室内空気（空調対象空間の空気）との間で熱交換を行う熱交換器である。
室内ファン１０２は、室内熱交換器１０１に室内空気を送り込むファンであり、室内熱交換器１０１の近傍に設置されている。
室外熱交換器１２は、その伝熱管を通流する冷媒と、室外ファン１３から送り込まれる屋外空気との間で熱交換を行う熱交換器である。【００１７】
室外ファン１３は、室外熱交換器１２に屋外空気を送り込むファンである。
図１を用いて、暖房運転時を例に、ヒートポンプ式の空気調和機１００の冷凍サイクルを説明する。空気調和機１００において、暖房運転時の冷媒の流れは実線矢印１４１で示している。圧縮機１３１は、ガス冷媒を圧縮する装置であり、圧縮機１３１で高温・高圧状態になったガス冷媒は、四方弁１３２を介して室内機１０８内の室内熱交換器１０１（凝縮器）に導かれる。そして、室内熱交換器１０１を流れる高温の冷媒が、室内ファン１０２から供給される室内空気に放熱することで、室内が暖められる。このとき、室外熱交換器１２内では、熱を奪われたガス冷媒が次第に液化し、室内熱交換器１０１の出口からは、飽和温度よりも数℃程度低温の過冷却状態の液冷媒が流出する。【００１８】
その後、室内機１０８から流出した液冷媒は、膨張弁１０３を通過時の膨張作用により低温・低圧状態の気液二相冷媒となる。この低温・低圧の気液二相冷媒は、室外機１内の室外熱交換器１２（蒸発器）に導かれる。そして、室外熱交換器１２の伝熱管内を流れる低温の気液二相冷媒が、室外ファン１３から供給される外気から吸熱することで、冷媒の乾き度（＝ガス冷媒の質量速度／（液冷媒の質量速度＋ガス冷媒の質量速度））が高まる。室外熱交換器１２の出口では、冷媒はガス化して数℃程度、過熱度が上昇した状態で圧縮機１３１に戻る。以上で説明した、一連の冷凍サイクルによって、空気調和機１００の暖房運転が実現される。【００１９】
一方、冷房運転時の冷媒の流れは破線矢印１４２で示している。冷房運転時には、四方弁１３２を切り替えて、破線矢印１４２方向に冷媒が循環する冷凍サイクルを形成する。この場合、室内熱交換器１０１が蒸発器として作用し、室外熱交換器１２が凝縮器として作用する。この一連の冷凍サイクルによって、空気調和機１００の冷房運転が実現される。
なお、空気調和機１００を冷房運転専用の装置として実現してもよいし、暖房運転専用の装置として実現してもよい。これらの場合は、四方弁１３２は不要になる。【００２０】
図２は、本実施例１に係る室外機１の縦断面図であり、図３は、図２のＡ−Ａ断面図である。なお、図２は、後述する電気箱収納空間３３の配置部材を電気箱収納空間３３内の当該配置部材等の構造が解りやすいように便宜上ずらして図示している。本実施例１では、電気箱３４ａ，３４ｂの配置位置としては、図３の図示が正しい。なお、配置位置としては、目的等に応じて適宜決定される。さらに、図２、図３について、寸法等は、適宜、誇張や矮小化して記載している。
室外機１は、上吹出し型の室外機であって、筐体１１、室外熱交換器１２、室外ファン１３、ベルマウス１４、電気箱３４ａ，３４ｂ等を備えている。筐体１１はベース１９の上に配置された直方体状のケースである。【００２１】
筐体１１の内側の側面には室外熱交換器１２が設けられている。室外熱交換器１２は、外気と冷媒とを熱交換する装置である。
ベース１９上の筐体１１内には圧縮機１３１、アキュムレータ１７（図１においては図示を省略）が設置されている。
筐体１１の上部にはシュラウド２１が設置されている。室外ファン１３は筐体１１の上部にシュラウド２１を介して空気の吹き出し方向が上向きになるように設けられている。そして、室外ファン１３は、シュラウド２１に固定されたモータクランプ２２に設置されたモータ２３によって駆動する。【００２２】
ベルマウス１４は室外ファン１３の外周を囲うように設けられた上面視で円筒形状の部材であり、筐体１１の上部に設けられている。ベルマウス１４は、室外ファン１３による空気の吹出し口として機能する。
ベルマウス１４は室外ファン１３の高効率化のために、室外ファン１３の回転軸方向に寸法の長いダクト型である。ベルマウス１４は、安全上及びデザイン上の理由で、板金により形成され筐体１１の一部をなす上面視で矩形状の側面カバー３１で囲われ、また、支持されている。また、側面カバー３１の上部は、上カバー３２で一部塞がれている。【００２３】
側面カバー３１、上カバー３２及びベルマウス１４で覆われた空間の一部は電気箱収納空間３３をなす。本例では、電気箱収納空間３３が側面カバー３１の角部の２箇所に設けられている（図３）。
各電気箱収納空間３３には、それぞれ電気箱３４ａ，３４ｂが収納されている。電気箱３４ａ，３４ｂには、それぞれ高発熱部品である電装品であるインバータ基板が収納されている。このインバータ基板は基本的に２種類あり、それは、圧縮機１３１の駆動用のインバータ基板３５ａ（第１基板）と、室外ファン１３の駆動用のインバータ基板３５ｂ（第２基板）とである。電気箱３４ａにはインバータ基板３５ａが収納され、電気箱３４ｂにはインバータ基板３５ｂが収納されている。電気箱３４ａ，３４ｂの外側には、インバータ基板３５ａ，３５ｂにそれぞれ接触した部材であり、インバータ基板３５ａ，３５ｂを冷却するヒートシンク３６ａ，３６ｂがそれぞれ接続されている。【００２４】
このように、室外機１においては、電気箱３４ａ，３４ｂは、図７におけるデッドスペースであったベルマウス１４と側面カバー３１（筐体１１）との間の空間を電気箱収納空間３３とし収納場所として有効利用する。そして、インバータ基板３５ａとヒートシンク３６ａとを備えた電気箱３４ａと、インバータ基板３５ｂとヒートシンク３６ｂとを備えた電気箱３４ｂに分けて、ベルマウス４の側方に配置する。【００２５】
図２に示すように、電気箱３４ａ，３４ｂのそれぞれの下方には、筐体１１の一部ともなる側面カバー３１に外気と電気箱収納空間３３とを連通する開口となる入口４１を設けている。また、電気箱３４ａ，３４ｂのそれぞれの上方には、ベルマウス１４の端部１４ａと筐体１１の一部である上カバー３２との間に、外気と電気箱収納空間３３とを連通する開口となる出口４２を設けている。これによって、矢印ａに示すような入口４１と出口４２とを結び、電気箱収納空間３３を通過する空気の流路がそれぞれ形成される（図２）。この各流路の途中には、それぞれヒートシンク３６ａ，３６ｂが位置している。各出口４２は、ベルマウス１４の外面と隣接して当該ベルマウス１４が空気を吹き出す方向と同方向側（図１の上側）に向いて出口４２から排出される空気が流れるように配置されている。【００２６】
図２に示すように、側面カバー３１及び筐体１１を上面視した形状は略正方形である。そして、室外ファン１３の回転軸中心１３ａは図３において図面上の上側に偏っている。すなわち、図３で上側の辺にあたる側面カバー３１の板金３１ａから下側の辺にあたる側面カバー３１の板金３１ｂまでの距離をＷｕとする。また、板金３１ａから回転軸中心１３ａまでの距離をＷｆとする。この場合に、“Ｗｆ＜Ｗｕ／２”となる。
本実施例１の作用効果について説明する。【００２７】
室外ファン１３を駆動することによって、外気が室外熱交換器１２を通過して筐体１１に流入する。この際に外気と冷媒とが熱交換する。筐体１１に流入した外気はベルマウス１４を介して室外機１の上方に吹き出して排出される。この場合の外気の流れを図２に矢印ｂで示している。
そして、ベルマウス１４から室外機１の上方に吹き出して外気が排出される際に、矢印ｂのように流れる外気の粘性の作用によって、ベルマウス１４に隣接する出口４２の周囲の空気も矢印ａのように流れ、矢印ｂの外気の流れに巻き込まれる。このような現象をエゼクタ効果という。このエゼクタ効果あるいは、噴流が外部の流体を引き込むことによって起こるコアンダ効果によって入口４１から外気が吸気され、出口４２から排出される、矢印ａのような空気の流れが発生する。【００２８】
矢印ａの空気の流れはヒートシンク３６ａ，３６ｂの周囲を通過して、ヒートシンク３６ａ，３６ｂ、ひいてはインバータ基板３５ａ，３５ｂを冷却する。そして、出口４２から排出される。
このような構成とすることにより、インバータ基板３５ａ，３５ｂの冷却に必要な空気、すなわち、矢印ａの空気の流れは室外ファン１３を通過しない。室外ファン１３を通過する矢印ｂの空気の流れは全て室外熱交換器１２における熱交換が行われたものだけである。そのため、室外ファン１３の駆動でベルマウス１４から排出される風量を低減でき、その分だけ室外ファン１３の動力を低減できて、室外機１の負荷の低減、省エネルギーに貢献することができる。さらに、ベルマウス１４からの風量が低減したことによって、室外ファン１３から発生する騒音も低減でき、室外機１の静音化にも貢献できる。【００２９】
さらに、矢印ａの空気は比較的低温の外気を吸気しているため、インバータ基板３５ａ，３５ｂの冷却性が向上して、室外機１の信頼性向上に貢献できる。例えば、外気温の高い夏場の場合、室外熱交換器１２は凝縮器として作用するので室外熱交換器１２を通過した矢印ｂの空気は外気よりもさらに温度が高くなる。一方、室外熱交換器１２を通過しない矢印ａの空気はこのようなことがない。
また、この冷却性の向上によって、ヒートシンク３６ａ，３６ｂを小型化することができ、室外機１の低製造コスト化に貢献できる。
さらに、矢印ｂに示す空気の流れの上流側に電気箱３４ａ，３４ｂを配置しないことで、圧力損失が低減して室外ファン１３によって送風される風量が増加し、室外熱交換器１２の熱交換性能の増加に貢献できる。【００３０】
また、インバータ基板３５ａと３５ｂとを別個の電気箱収納空間３３に収納することで、インバータ基板３５ａ，３５ｂを収納するスペースを大きくとることができる。
さらに、室外ファン１３の回転軸中心１３ａは図３において上側に偏っている。これによって、インバータ基板３５ａと３５ｂとを収納する電気箱収納空間３３を広くできて、インバータ基板３５ａ，３５ｂを収納するスペースを大きくとることができる。このように、インバータ基板３５ａ，３５ｂを収納するスペースを大きくとることで、電気箱３４ａ、３４ｂの体積を大きくすることができ、インバータ基板３５ａ、３５ｂやヒートシンク３６ａ、３６ｂの収納と配置の自由度を増すことができる。【００３１】
なお、本実施例１は、上吹出し型の室外機１について説明したが、室外機は上吹出し型に限定されるものではなく、横吹出し型等としてもよい。
【実施例２】
【００３２】
図４は、本発明の実施例２に係る室外機１Ａの上部の縦断面図である。室外機１Ａが実施例１の室外機１と共通する部材については実施例１と同様の符号を用い、詳細な図示と説明は省略する。
本実施例２の室外機１Ａが実施例１の室外機１と異なるのは、ヒートシンク３６ａ，３６ｂを矢印ａで示す空気の流路の出口４２近傍に近づけてそれぞれ設置していることである。
本実施例２によれば、矢印ａで示す空気の流路は矢印ｂの空気の流れの影響によって出口４２の近傍で流速が速い。そのため、ヒートシンク３６ａ，３６ｂを出口４２近傍に設置することで、ヒートシンク３６ａ，３６ｂ、ひいてはインバータ基板３５ａ，３５ｂの冷却効果を高めることができる。
【実施例３】
【００３３】
図５は、本発明の実施例３に係る室外機１Ｂの上部の縦断面図である。室外機１Ｂが実施例１の室外機１と共通する部材については実施例１と同様の符号を用い、詳細な図示と説明は省略する。なお、図の寸法等については、誇張や矮小化を行っている。この点は以下の実施例に関する他の図においても同様である。
本実施例３の室外機１Ｂが実施例１の室外機１と異なるのは、ヒートシンク３６ａ，３６ｂを矢印ａで示す空気の流路の入口４１近傍にそれぞれ設置していることである。
本実施例３によれば、入口４１から吸気される外気の温度は矢印ａで示す流路の入口４１よりも下流側に比べて低い。そのため、ヒートシンク３６ａ，３６ｂを入口４１近傍に設置することで、ヒートシンク３６ａ，３６ｂ、ひいてはインバータ基板３５ａ，３５ｂの冷却効果を高めることができる。
【実施例４】
【００３４】
図６は、本発明の実施例４に係る室外機１Ｃの上部の縦断面図である。室外機１Ｃが実施例１の室外機１と共通する部材については実施例１と同様の符号を用い、詳細な図示と説明は省略する。
本実施例４の室外機１Ｃが実施例１の室外機１と異なるのは、まず、ヒートシンク３６ａ，３６ｂが設けられていないことである。また、電気箱３４ａ，３４ｂの筐体における入口４１近傍には当該筐体内と入口４１を連通する入口３４ａ１，３４ｂ１がそれぞれ設けられている。また、電気箱３４ａ，３４ｂの筐体における出口４２近傍には当該筐体内と出口４２を連通する出口３４ａ２，３４ｂ２がそれぞれ設けられている。さらに、電気箱３４ａ，３４ｂとベルマウス１４との間には閉止板５１がそれぞれ設けられている。閉止板５１は実施例１における矢印ａの流路を閉鎖する部材である。これにより、エグゼクタ効果やコアンダ効果によって、入口４１，４１から入口３４ａ１，３４ｂ１に入って、出口３４ａ２，３４ｂ２を抜け、出口４２，４２から排出される外気の流路が矢印ｃに示すように形成される。この矢印ｃの示す流路中には電気箱３４ａ，３４ｂ内のインバータ基板３５ａ，３５ｂが配置されている。【００３５】
本実施例４によれば、矢印ｃの外気の流れによってインバータ基板３５ａ，３５ｂを直接冷却することができる。そのため、本実施例４によれば、ヒートシンク３６ａ，３６ｂを不要として室外機１Ｃの製造コストを低減することができる。
【実施例５】
【００３６】
図７は、本発明の実施例４に係る室外機１Ｄの上面図である。室外機１Ｄが実施例１の室外機１と共通する部材については実施例１と同様の符号を用い、詳細な図示と説明は省略する。
本実施例５が実施例１と異なる点は、以下の諸点である。室外機１Ｄの側面カバー３１、筐体１１の上面視した形状は長方形状であり、その長手方向に並んで２台の室外ファン１３及びベルマウス１４が筐体１１内に収納されている。各電気箱収納空間３３は、側面カバー３１を上面視した長方形状における２つの長辺の各中間位置における側面カバー３１の内側にそれぞれ設けられている。図７においては、上カバー３２を除去して、電気箱３４ａ，３４ｂ、インバータ基板３５ａ，３５ｂを図示している、ヒートシンク３６ａ，３６ｂも図示している。しかし、入口４１、出口４２は、便宜上図示を省略するが、実施例１と同様に設けられている。【００３７】
各室外ファン１３の回転軸１３ａの位置は、何れも前記の長方形状の中央部よりも当該長方形状の両端部に近い位置に配置されている。すなわち、前記長方形状の長手方向の長さをＬｕ、各室外ファン１３の回転軸１３ａから前記長方形状の直近の長手方向端部までの長さをＬｆとすると、“Ｌｆ＜Ｌｕ／４”という関係が成り立つ。
本実施例５によれば、各室外ファン１３の回転軸１３ａの位置を前記のようにしたので、電気箱３４ａ，３４ｂの体積を大きくすることができ、インバータ基板３５ａ，３５ｂやヒートシンク３６ａ，３６ｂの収納と配置の自由度を増大することができる。【００３８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることも可能である。
【符号の説明】
【００３９】
１      室外機（空気調和機用室外機）
１１    筐体
１２    室外熱交換器
１３    室外ファン
１３ａ  回転軸
１４    ベルマウス
３１    側面カバー（筐体）
３５ａ  インバータ基板（電装品、第１基板）
３５ｂ  インバータ基板（電装品、第２基板）
３６ａ，３６ｂ  ヒートシンク（電装品に接触した部材）
４１    入口
４２    出口
１００  空気調和機
１０１  室内熱交換器
１０２  室内ファン
１０３  膨張弁
１３１  圧縮機
ａ      流路
【要約】
直方体形状の筐体（１１）と、筐体（１１）に設けられ外気と冷媒とを熱交換する室外熱交換器（１２）と、筐体（１１）に設けられる室外ファン（１３）と、室外ファン（１３）の外周を囲い室外ファン（１３）による空気の吹出し口を形成するベルマウス（１４）と、ベルマウス（１４）の側方と筐体となる側面カバー（３１）の内側との間の空間に設けられたインバータ基板（３５ａ，３５ｂ）と、側面カバー（３１）に設けられ入口（４１）と出口（４２）とが外部に開口していてインバータ基板（３５ａ，３５ｂ）又はヒートシンク（３６ａ，３６ｂ）を通過する空気が流通する流路（ａ）とを備え、出口（４２）は、ベルマウス（１４）と隣接してベルマウス（１４）が空気を吹き出す方向と同方向側に向いて配置されている。【図１】
0006808098.tif 000002
【図２】
0006808098.tif 000003
【図３】
0006808098.tif 000004
【図４】
0006808098.tif 000005
【図５】
0006808098.tif 000006
【図６】
0006808098.tif 000007
【図７】
0006808098.tif 000008